(57)【要約】【課題】  表示部のキャビネットに対する良好な位置決め精度を確保した上で小型化を図る。【解決手段】  キャビネット９の内周部に受部１９、１９、・・・が設けられキャビネットの内周面の一部が位置決め面１７ａとして形成された外筐２と、表示部２９と表示部を保持する保持ベース３０とを有し保持ベースの外周部が表示部の最外周面より外側に位置された当接部３８、３８、・・・として設けられ表示部の最外周面が位置合わせ面３３ａとして形成された表示ユニット２８と、保持ベースを挟んで表示部の反対側に位置された押さえ部材２３とを設け、当接部が受部に接した状態で受部の反対側から保持ベースが押さえ部材によって押さえられ、表示部の位置合わせ面とキャビネットの位置決め面とが対向して位置されて表示部のキャビネットに対する位置決めが行われるようにした。【選択図】        図１０
2012141425.tif 000002
【特許請求の範囲】
【請求項１】
枠状に形成されたキャビネットを有し前記キャビネットの内周部に受部が設けられ前記キャビネットの内周面の一部が位置決め面として形成された外筐と、
ディスプレイが設けられた表示部と前記表示部を保持する保持ベースとを有すると共に前記保持ベースの外周部の少なくとも一部が前記表示部の最外周面より外側に位置された当接部として設けられ前記表示部の最外周面が位置合わせ面として形成された表示ユニットと、
前記外筐の内部に配置され前記保持ベースを挟んで前記表示部の反対側に位置された押さえ部材とを備え、
前記保持ベースの当接部が前記キャビネットの受部に接した状態で前記受部の反対側から前記保持ベースが前記押さえ部材によって押さえられて前記表示ユニットが前記キャビネットに対して配置され、
前記表示部の位置合わせ面と前記キャビネットの位置決め面とが対向して位置されて前記表示部の前記キャビネットに対する位置決めが行われるようにした
表示装置。
【請求項２】
前記表示部が前記キャビネットの内側に配置された
請求項１に記載の表示装置。
【請求項３】
前記表示部に前記ディスプレイを保護する保護ガラスを設け、
前記保護ガラスの外周面を前記位置合わせ面として形成した
請求項１に記載の表示装置。
【請求項４】
前記表示ユニットに、前記表示部に接続された接続基板が設けられ、
前記接続基板が前記保持ベースの一側縁から外側へ導出され、
前記保持ベースの前記一側縁における前記接続基板の両側にそれぞれ前記当接部を設けた
請求項１に記載の表示装置。
【請求項５】
前記押さえ部材が前記外筐の内部に固定された
請求項１に記載の表示装置。
【請求項６】
前記保持ベースがクッションを介して前記押さえ部材によって押さえられた
請求項５に記載の表示装置。
【請求項７】
前記保持ベースが金属材料によって形成された
請求項１に記載の表示装置。
【請求項８】
前記キャビネットの当接部における前記受部に接する面に黒色を付した
請求項１に記載の表示装置。
【請求項９】
前記キャビネットを樹脂材料によって形成された基体部と金属材料によって形成され前記基体部を補強する補強部とによって構成した
請求項１に記載の表示装置。
【請求項１０】
前記基体部と前記補強部を一体に形成した
請求項９に記載の表示装置。
【請求項１１】
前記保持ベースを導電性材料によって形成し、
前記押さえ部材を導電性材料によって形成すると共にアース回路に接続し、
前記補強部に前記保持ベースと前記押さえ部材の各一部がそれぞれ接続される第１の接続部と第２の接続部を設けた
請求項９に記載の表示装置。
【発明の詳細な説明】
【技術分野】
【０００１】
本発明は表示装置についての技術分野に関する。詳しくは、キャビネットの一部に表示ユニットの一部が接した状態で表示ユニットを押さえると共に表示部の位置合わせ面とキャビネットの位置決め面とによって位置決めを行って良好な位置決め精度を確保した上で小型化を図る技術分野に関する。
【背景技術】
【０００２】
ビデオカメラ、スチルカメラ、テレビジョン受像器、パーソナルコンピューター等には液晶パネルや有機エレクトロルミネッセンスパネル等のディスプレイを有する表示部が設けられているものがある。
【０００３】
このような表示部を有する表示装置においては、表示部を外筐に対して所定の位置に位置決めした状態で保持する必要があり、表示部は外筐の一部を構成する枠状のキャビネットに配置されて保持されている（例えば、特許文献１参照）。
【０００４】
特許文献１に記載された表示装置においては、キャビネットに内方へ張り出されたフランジ状の突部が設けられ、外筐の内部に押さえ部材が配置されている。表示部は外周部の外面がフランジ状の突部に押さえられ内面が押さえ部材に押さえられて所定の位置に保持されている。
【０００５】
【特許文献１】特開２００９−２６５５２２号公報
【発明の開示】
【発明が解決しようとする課題】
【０００６】
ところが、特許文献１に記載された表示装置にあっては、表示部の外周部における外面がフランジ状の突部に押さえられて保持される構成とされている。従って、表示部の外面側、即ち、表示部の表示面の外側に突部が位置されるため、その分、表示装置の厚みが厚くなり小型化に支障を来たしている。
【０００７】
また、表示部の外周部がフランジ状の突部によって閉塞されるため、その分、表示部における画像の表示領域が小さくなり、大きな表示領域を確保するために表示部の外形を大型化する必要が生じる。従って、表示装置の外形も大きくする必要が生じ、表示装置の大型化を来たしている。
【０００８】
別の表示装置として、表示部をキャビネットに接着テープ等の接着手段によって固定して保持するようにしたものも存在するが、このような表示装置においては、接着テープ等の厚み分のスペースが外筐の内部に必要となり、その分、大型化を来たしてしまう。
【０００９】
一方、表示部のキャビネットに対する保持位置がずれてしまうと、表示部の保持状態が不安定になったり、表示部が外筐に対して傾斜した状態になり表示面に表示される画像の視認性の低下を来たす等のおそれがある。従って、表示部のキャビネットに対する良好な位置決め精度を確保する必要もある。
【００１０】
そこで、本発明表示装置は、上記した問題点を克服し、表示部のキャビネットに対する良好な位置決め精度を確保した上で小型化を図ることを課題とする。
【課題を解決するための手段】
【００１１】
表示装置は、上記した課題を解決するために、枠状に形成されたキャビネットを有し前記キャビネットの内周部に受部が設けられ前記キャビネットの内周面の一部が位置決め面として形成された外筐と、ディスプレイが設けられた表示部と前記表示部を保持する保持ベースとを有すると共に前記保持ベースの外周部の少なくとも一部が前記表示部の最外周面より外側に位置された当接部として設けられ前記表示部の最外周面が位置合わせ面として形成された表示ユニットと、前記外筐の内部に配置され前記保持ベースを挟んで前記表示部の反対側に位置された押さえ部材とを備え、前記保持ベースの当接部が前記キャビネットの受部に接した状態で前記受部の反対側から前記保持ベースが前記押さえ部材によって押さえられて前記表示ユニットが前記キャビネットに対して配置され、前記表示部の位置合わせ面と前記キャビネットの位置決め面とが対向して位置されて前記表示部の前記キャビネットに対する位置決めが行われるようにしたものである。
【００１２】
従って、表示装置にあっては、保持ベースがキャビネットの受部と押さえ部材によって挟持されると共に表示部の位置合わせ面とキャビネットの位置決め面とが対向して位置される。
【００１３】
上記した表示装置においては、前記表示部が前記キャビネットの内側に配置されることが望ましい。
【００１４】
表示部がキャビネットの内側に配置されることにより、表示部がキャビネットから外方へ突出されない状態とされる。
【００１５】
上記した表示装置においては、前記表示部に前記ディスプレイを保護する保護ガラスを設け、前記保護ガラスの外周面を前記位置合わせ面として形成することが望ましい。
【００１６】
表示部にディスプレイを保護する保護ガラスを設け、保護ガラスの外周面を位置合わせ面として形成することにより、表示部のキャビネットに対する位置決めが保護ガラスによって行われる。
【００１７】
上記した表示装置においては、前記表示ユニットに、前記表示部に接続された接続基板が設けられ、前記接続基板が前記保持ベースの一側縁から外側へ導出され、前記保持ベースの前記一側縁における前記接続基板の両側にそれぞれ前記当接部を設けることが望ましい。
【００１８】
表示ユニットに、表示部に接続された接続基板が設けられ、保持ベースの一側縁における接続基板の両側にそれぞれ当接部を設けることにより、接続基板に付与される外力によって保持ベースのキャビネットに対する位置が変位し難い。
【００１９】
上記した表示装置においては、前記押さえ部材が前記外筐の内部に固定されることが望ましい。
【００２０】
押さえ部材が外筐の内部に固定されることにより、押さえ部材の外筐に対する位置が変位しない。
【００２１】
上記した表示装置においては、前記保持ベースがクッションを介して前記押さえ部材によって押さえられることが望ましい。
【００２２】
保持ベースがクッションを介して押さえ部材によって押さえられることにより、表示装置を構成する各部の加工精度に基づく組付位置のズレがクッションによって吸収された状態で保持ベースが押さえ部材によって押さえられる。
【００２３】
上記した表示装置においては、前記保持ベースが金属材料によって形成されることが望ましい。
【００２４】
保持ベースが金属材料によって形成されることにより、押さえ部材によって押さえられる保持ベースの強度が高くなる。
【００２５】
上記した表示装置においては、前記キャビネットの当接部における前記受部に接する面に黒色を付すことが望ましい。
【００２６】
キャビネットの当接部における受部に接する面に黒色を付すことにより、隙間に光が入射したときの当接部における反射が抑制される。
【００２７】
上記した表示装置においては、前記キャビネットを樹脂材料によって形成された基体部と金属材料によって形成され前記基体部を補強する補強部とによって構成することが望ましい。
【００２８】
キャビネットを樹脂材料によって形成された基体部と金属材料によって形成され基体部を補強する補強部とによって構成することにより、キャビネットの強度が高くされる。
【００２９】
上記した表示装置においては、前記基体部と前記補強部を一体に形成することが望ましい。
【００３０】
基体部と補強部を一体に形成することにより、基体部に対する補強部の位置精度が高くなると共にキャビネットが一つの部材によって構成される。
【００３１】
上記した表示装置においては、前記保持ベースを導電性材料によって形成し、前記押さえ部材を導電性材料によって形成すると共にアース回路に接続し、前記補強部に前記保持ベースと前記押さえ部材の各一部がそれぞれ接続される第１の接続部と第２の接続部を設けることが望ましい。
【００３２】
保持ベースを導電性材料によって形成し、押さえ部材を導電性材料によって形成すると共にアース回路に接続し、補強部に保持ベースと押さえ部材の各一部がそれぞれ接続される第１の接続部と第２の接続部を設けることにより、補強部がキャビネットの補強と保持ベースに関する導電経路として機能する。
【発明の効果】
【００３３】
本発明表示装置は、枠状に形成されたキャビネットを有し前記キャビネットの内周部に受部が設けられ前記キャビネットの内周面の一部が位置決め面として形成された外筐と、ディスプレイが設けられた表示部と前記表示部を保持する保持ベースとを有すると共に前記保持ベースの外周部の少なくとも一部が前記表示部の最外周面より外側に位置された当接部として設けられ前記表示部の最外周面が位置合わせ面として形成された表示ユニットと、前記外筐の内部に配置され前記保持ベースを挟んで前記表示部の反対側に位置された押さえ部材とを備え、前記保持ベースの当接部が前記キャビネットの受部に接した状態で前記受部の反対側から前記保持ベースが前記押さえ部材によって押さえられて前記表示ユニットが前記キャビネットに対して配置され、前記表示部の位置合わせ面と前記キャビネットの位置決め面とが対向して位置されて前記表示部の前記キャビネットに対する位置決めが行われるようにしている。
【００３４】
従って、表示部のキャビネットに対する良好な位置決め精度を確保した上で表示装置の小型化を図ることができる。
【００３５】
請求項２に記載した発明にあっては、前記表示部が前記キャビネットの内側に配置されている。
【００３６】
従って、表示装置の一層の小型化を図ることができる。
【００３７】
請求項３に記載した発明にあっては、前記表示部に前記ディスプレイを保護する保護ガラスを設け、前記保護ガラスの外周面を前記位置合わせ面として形成している。
【００３８】
従って、保護ガラスの材料であるガラス材料は加工精度が高く強度も高いため、表示部のキャビネットに対する位置決めを高精度で行うことができる。
【００３９】
請求項４に記載した発明にあっては、前記表示ユニットに、前記表示部に接続された接続基板が設けられ、前記接続基板が前記保持ベースの一側縁から外側へ導出され、前記保持ベースの前記一側縁における前記接続基板の両側にそれぞれ前記当接部を設けている。
【００４０】
従って、接続基板に付与される外力によって保持ベースのキャビネットに対する位置が変位し難く、キャビネットによる表示ユニットの安定した保持状態を確保することができる。
【００４１】
請求項５に記載した発明にあっては、前記押さえ部材が前記外筐の内部に固定されている。
【００４２】
従って、押さえ部材の外筐に対する位置が変位することがなく、表示ユニットのキャビネットに対する保持状態の安定性の向上を図ることができる。
【００４３】
請求項６に記載した発明にあっては、前記保持ベースがクッションを介して前記押さえ部材によって押さえられている。
【００４４】
従って、表示装置を構成する各部の加工精度に基づく組付位置のズレがクッションによって吸収された状態で保持ベースが押さえ部材によって押さえられ、表示装置を構成する各部の加工精度によらずに、表示ユニットをキャビネットによって安定した状態で保持することができる。
【００４５】
請求項７に記載した発明にあっては、前記保持ベースが金属材料によって形成されている。
【００４６】
従って、保持ベースの強度が高く、表示ユニットをキャビネットによって一層安定した状態で保持することができる。
【００４７】
請求項８に記載した発明にあっては、前記キャビネットの当接部における前記受部に接する面に黒色を付している。
【００４８】
従って、位置合わせ面と位置決め面との間に隙間が生じていた場合において、隙間に光が入射したときの当接部における反射が抑制され、表示部に表示される画像の視認性の向上を図ることができる。
【００４９】
請求項９に記載した発明にあっては、前記キャビネットを樹脂材料によって形成された基体部と金属材料によって形成され前記基体部を補強する補強部とによって構成している。
【００５０】
従って、キャビネットの強度が高くされ、キャビネットの変形を抑制することができる。
【００５１】
請求項１０に記載した発明にあっては、前記基体部と前記補強部を一体に形成している。
【００５２】
従って、基体部に対する補強部の位置精度が高くされると共に部品点数の削減を図った上でキャビネットの強度の向上を図ることができる。
【００５３】
請求項１１に記載した発明にあっては、前記保持ベースを導電性材料によって形成し、前記押さえ部材を導電性材料によって形成すると共にアース回路に接続し、前記補強部に前記保持ベースと前記押さえ部材の各一部がそれぞれ接続される第１の接続部と第２の接続部を設けている。
【００５４】
従って、補強部がキャビネットの補強と保持ベースに関する導電経路として機能するため、部品点数の削減を図った上で表示ユニットの静電破壊を防止することができる。
【発明を実施するための最良の形態】
【００５５】
以下に、本発明表示装置を実施するための最良の形態を添付図面に従って説明する。
【００５６】
以下に示した最良の形態は、本発明表示装置をデジタルスチルカメラに適用したものである。
【００５７】
但し、本発明の適用範囲はデジタルスチルカメラに限られることはなく、例えば、ビデオカメラ等の撮像装置、携帯電話やＰＤＡ（Personal Digital Assistant）等の携帯端末、パーソナルコンピューター等の情報処理装置、テレビジョン受像器や表示モニター等の表示部を有する各種の表示装置に広く適用することができる。
【００５８】
以下の説明にあっては、表示装置（デジタルスチルカメラ）の撮影時において撮影者から見た方向で前後上下左右の方向を示すものとする。従って、被写体側が前方となり、撮影者側が後方となる。
【００５９】
尚、以下に示す前後上下左右の方向は説明の便宜上のものであり、本発明の実施に関しては、これらの方向に限定されることはない。
【００６０】
［表示装置の構成］
表示装置（デジタルスチルカメラ）１は箱状の外筐２と外筐２の前面において上下方向へスライド可能な開閉パネル３とを有し（図１乃至図３参照）、外筐２の内部には所要の各部が配置されている。
【００６１】
外筐２の上面には各種の操作部４、４、・・・が配置されている。操作部４、４、・・・としては、例えば、電源の投入を行うための電源釦、撮影時に操作されるシャッター釦、ズーミングを行うためのズーム摘子等が配置されている。
【００６２】
外筐２の前面の上端部には撮影時において補助光を照射するためのフラッシュ５と被写体の像を取り込むための撮影レンズ６とが左右に並んで配置されている。撮影レンズ６の後方には図示しない各種のレンズ又はレンズ群が光軸に沿って配置されている。
【００６３】
フラッシュ５と撮影レンズ６は開閉パネル３の上下方向へのスライドによって開閉される。開閉パネル３が下方へ移動されてフラッシュ５と撮影レンズ６が開放されることにより被写体の撮影が可能な状態となり、開閉パネル３が上方へ移動されてフラッシュ５と撮影レンズ６が閉塞されることにより被写体の撮影が不能な状態となる。
【００６４】
外筐２はフロントパネル７とフレーム８とキャビネット９を有し、フロントパネル７とフレーム８とキャビネット９は前後方向において順に結合されている（図４及び図５参照）。
【００６５】
フロントパネル７は前後方向を向く横長の略矩形の板状に形成されたパネル部１０とパネル部１０の外周縁からそれぞれ後方へ突出された被取付片１１、１１、・・・とから成り、パネル部１０の前面に開閉パネル３がスライド自在に支持されている。被取付片１１、１１、・・・にはそれぞれネジ挿通孔１１ａ、１１ａ、・・・が形成されている。
【００６６】
フレーム８は横長の略矩形の枠状に形成され、上面部１２、下面部１３及び一対の側面部１４、１４によって構成されている。下面部１３には後方に開口された配置用切欠１３ａが形成されている。側面部１４には上下に離隔して挿通孔１４ａ、１４ａが形成されている。
【００６７】
キャビネット９は横長の略矩形の枠状に形成され、樹脂材料によって形成された基体部１５と金属材料によって形成され基体部１５を補強する補強部１６、１６、・・・とによって構成されている（図６及び図７参照）。基体部１５と補強部１６、１６、・・・は、例えば、インサート成形により一体に形成されている。
【００６８】
基体部１５はキャビネット９のベースとなる部分であり略矩形の枠状に形成された枠部１７と枠部１７の前縁からそれぞれ前方へ突出された締結片１８、１８、・・・とを有している。
【００６９】
枠部１７は後端部を除く部分が前方へ行くに従って外形が大きくなるように傾斜されている。枠部１７の内周部における後端寄りの位置には、周方向に延びる受部１９、１９、・・・が設けられている。受部１９、１９、・・・は内方へ突出するように設けられ、それぞれ前方を向く受け面１９ａ、１９ａ、・・・を有している。枠部１７の内周面のうち受部１９、１９、・・・の後側の部分は水平方向又は垂直方向を向く位置決め面１７ａとして形成されている。
【００７０】
締結片１８、１８、・・・にはそれぞれ挿通孔１８ａ、１８ａ、・・・が形成されている。
【００７１】
補強部１６、１６、・・・はそれぞれ枠部１７の上下左右に位置する四つの辺部及び締結片１８、１８、・・・に一部を除いて埋設された状態で配置されている。補強部１６、１６、・・・のうち締結片１８、１８、・・・に埋設された部分にはそれぞれ挿通孔１８ａ、１８ａ、・・・に対応する位置に孔１６ａ、１６ａ、・・・が形成されている。
【００７２】
上記のように、キャビネット９の枠部１７に補強部１６、１６、・・・を設けることにより、キャビネット９の強度が高くされ、キャビネット９の変形を抑制することができる。
【００７３】
また、上記したように、基体部１５と補強部１６、１６、・・・を一体に形成することにより、基体部１５に対する補強部１６、１６、・・・の位置精度が高くされると共に部品点数の削減を図った上でキャビネット９の強度の向上を図ることができる。
【００７４】
一つの補強部１６は長手方向における両側の端部が基体部１５の内周面側に露出されており、これらの露出された部分がそれぞれ第１の接続部１６ｂと第２の接続部１６ｃとして設けられている（図５参照）。
【００７５】
外筐２の内部には内部フレーム２０が配置される（図４及び図５参照）。内部フレーム２０は、例えば、樹脂材料によって形成され、前後方向を向く板状のベース板部２３とベース板部２３からそれぞれ前方へ突出された立壁部２２、２２、・・・とを有している。最も下方に位置する立壁部２２には上下に離隔してネジ用孔２２ａ、２２ａが形成されている。
【００７６】
内部フレーム２０には保持部材２３が取り付けられている。保持部材２３は板状の金属材料が所定の形状に加工されて形成され、前後方向を向く保持面部２４と保持面部２４の左右両側縁からそれぞれ前方へ突出された側部２５、２５と保持面部２４の下縁から前方へ突出された結合片２６とを有している。
【００７７】
保持面部２４の上縁には前方へ屈曲された接続面部２４ａが設けられている。
【００７８】
側部２５には上下に離隔して螺孔２５ａ、２５ａが形成され、結合片２６には上下に離隔して螺孔２６ａ、２６ａが形成されている。
【００７９】
保持面部２４の後面にはクッション２７が貼り付けられている。クッション２７は導電性を有しない材料によって形成されている。
【００８０】
内部フレーム２０は最も下方に位置する立壁部２２がフレーム８の下面部１３における配置用切欠１３ａに挿入されてフレーム８に結合される。
【００８１】
内部フレーム２０の後側には表示ユニット２８が配置され、表示ユニット２８は表示部２９と保持ベース３０と接続基板３１から成る（図８乃至図１０参照）。
【００８２】
表示部２９は、図１０に示すように、有機エレクトロルミネッセンスパネルや液晶パネル等のディスプレイ３２とディスプレイ３２の後面に配置された板状の保護ガラス３３と保護ガラス３３の後面に貼り付けられた反射防止シート３４、３４とが積層されて成る。
【００８３】
保護ガラス３３はディスプレイ３２を保護する機能を有し、表示部２９のうち最も外形が大きくされ、外周面が位置合わせ面３３ａとして形成されている。
【００８４】
保護ガラス３３は外周部がディスプレイ３２の外周面及び反射防止シート３４、３４の外周面より外側に位置され、位置合わせ面３３ａが水平方向又は垂直方向を向くようにされている。保護ガラス３３は外形がキャビネット９の位置決め面１７ａの形状に対して僅かに小さく形成されている。
【００８５】
保持ベース３０は金属材料によって形成され、表示部２９の前面に、例えば、接着剤３５によって固定されている。保持ベース３０は、図８に示すように、略矩形の板状に形成されたベース面部３６とベース面部３６の外周部から後方へ屈曲された連結部３７、３７、・・・と連結部３７、３７、・・・の外側に連続する当接部３８、３８、・・・とが一体に形成されて成る。
【００８６】
ベース面部３６の左右の一方の側部には側方に開口された逃げ用切欠３６ａが形成されている。
【００８７】
当接部３８、３８、・・・はベース面部３６と平行な状態で設けられ、ベース面部３６より稍後方に位置されている。当接部３８、３８、・・・は後面がそれぞれ接触面３８ａ、３８ａ、・・・として形成され、接触面３８ａ、３８ａ、・・・には塗装等によって黒色が付されている。尚、接触面３８ａ、３８ａ、・・・に付される色は黒色に限られることはなく、暗色であればよく、例えば、紺色や茶色等が接触面３８ａ、３８ａ、・・・に付されていてもよい。
【００８８】
当接部３８、３８、・・・の外縁は保護ガラス３３の位置合わせ面３３ａより外側に位置されている。
【００８９】
接続基板３１は一端部が表示部２９に接続されている。接続基板３１はフレキシブルプリント配線板であり、他端部が外筐２の内部に配置された図示しない回路基板に接続されている。回路基板にはディスプレイ３２の駆動を行うための駆動回路や電源の供給を行うための電源供給回路が搭載されている。
【００９０】
接続基板３１は保持ベース３０に形成された逃げ用切欠３６ａから後方へ突出された状態とされている。
【００９１】
保持ベース３０の当接部３８、３８、・・・のうち二つの当接部３８、３８はそれぞれベース面部３６の逃げ用切欠３６ａの上下両側の位置に設けられている（図８、図９、図１１及び図１２参照）。従って、ベース面部３６の逃げ用切欠３６ａの上下両側の位置に設けられた当接部３８、３８は、接続基板３１の両側に位置される。
【００９２】
［表示装置の組立等］
表示ユニット２８はキャビネット９に前方から挿入され（図８及び図９参照）、図１０に示すように、保持ベース３０における当接部３８、３８、・・・の接触面３８ａ、３８ａ、・・・がそれぞれキャビネット９における受部１９、１９、・・・の受け面１９ａ、１９ａ、・・・に接した状態で配置される。このように当接部３８、３８、・・・の接触面３８ａ、３８ａ、・・・がそれぞれ受部１９、１９、・・・の受け面１９ａ、１９ａ、・・・に接することにより、表示ユニット２８のキャビネット９に対する前後方向における位置決めが行われる。
【００９３】
このとき表示部２９は位置決め面１７ａの内側に挿入され保護ガラス３３の位置合わせ面３３ａとキャビネット９の位置決め面１７ａとが対向して位置されて表示部２９のキャビネット９に対する上下方向及び左右方向における位置決めが行われる。
【００９４】
当接部３８、３８、・・・の接触面３８ａ、３８ａ、・・・がそれぞれ受部１９、１９、・・・の受け面１９ａ、１９ａ、・・・に接すると共に表示部２９が位置決め面１７ａの内側に挿入された状態においては、表示部２９の後面２９ａがキャビネット９の後面９ａと平行な状態で位置される。また、このとき表示部２９の後面２９ａがキャビネット９の後面９ａより僅かに前方に位置され、表示部２９はキャビネット９から後方へ突出されず、表示部２９の全体がキャビネット９の内側に配置される。
【００９５】
上記のように当接部３８、３８、・・・の接触面３８ａ、３８ａ、・・・がそれぞれ受部１９、１９、・・・の受け面１９ａ、１９ａ、・・・に接した状態において、クッション２７を介して押さえ部材２３によって保持ベース３０が前方から押さえられる。従って、保持ベース３０は押さえ部材２３と受部１９、１９、・・・によって前後から挟持された状態とされ、表示ユニット２８が安定した状態で外筐２の内部において保持される。
【００９６】
上記したようにキャビネット９に表示ユニット２８が配置され表示ユニット２８が内部フレーム２０に取り付けられた押さえ部材２３によって押さえられた状態において、内部フレーム２０に前方からフレーム８が組み付けられ、フレーム８に開閉パネル３が支持されたフロントパネル７が前方から組み付けられる。
【００９７】
内部フレーム２０にフレーム８が組み付けられると共にフレーム８にフロントパネル７が組み付けられた状態において、図４及び図５に示すように、フレーム８の側面部１４、１４に形成された挿通孔１４ａ、１４ａ、・・・にそれぞれ取付ネジ５０、５０、・・・が挿通される。取付ネジ５０、５０、・・・はそれぞれ順にキャビネット９の締結片１８、１８、・・・に形成された挿通孔１８ａ、１８ａ、・・・とフロントパネル７の被取付片１１、１１、・・・に形成されたネジ挿通孔１１ａ、１１ａ、・・・を挿通され、押さえ部材２３の側部２５、２５に形成された螺孔２５ａ、２５ａ、・・・に螺合される。
【００９８】
また、内部フレーム２０にフレーム８が組み付けられると共にフレーム８にフロントパネル７が組み付けられた状態において、図４に示すように、内部フレーム２０の立壁部２２に形成されたネジ用孔２２ａ、２２ａにそれぞれネジ部材５１、５１が挿通される。一方のネジ部材５１はキャビネット９の締結片１８に形成された挿通孔１８ａを挿通され、押さえ部材２３の結合片２６に形成された一方の螺孔２６ａに螺合される。他方のネジ部材５１はフロントパネル７の被取付片１１に形成されたネジ挿通孔１１ａを挿通され、押さえ部材２３の結合片２６に形成された他方の螺孔２６ａに螺合される。
【００９９】
上記のように、取付ネジ５０、５０、・・・が螺孔２５ａ、２５ａ、・・・に螺合され、ネジ部材５１、５１が螺孔２６ａ、２６ａに螺合されることにより、フロントパネル７、フレーム８、内部フレーム２０及びキャビネット９が結合されて表示装置１が構成される。従って、内部フレーム２０は外筐２の内部において安定した状態で配置され、表示ユニット２８が内部フレーム２０に取り付けられた押さえ部材２３によって安定した状態で押さえられ、表示ユニット２８がキャビネット９に安定した状態で配置される。
【０１００】
表示装置１が構成された状態においては、取付ネジ５０、５０、・・・及びネジ部材５１、５１によって内部フレーム２０及び保持部材２３が外筐２に対して固定された状態とされる。
【０１０１】
［保持ベースと押さえ部材の導通状態］
上記のように表示装置１が構成された状態においては、保持ベース３０の一つの当接部３８がキャビネット９の補強部１６に設けられた第１の接続部１６ｂに接続される（図１２及び図１３参照）。また、押さえ部材２３の保持面部２４に設けられた接続面部２４ａが導電性クッション３９を介して補強部１６に設けられた第２の接続部１６ｃに接続される（図１４参照）。
【０１０２】
保持ベース３０は回路基板に形成されたアース回路に接続されている。従って、上記したように、保持ベース３０の当接部３８が補強部１６の第１の接続部１６ｂに接続され、押さえ部材２３の接続面部２４ａが補強部１６の第２の接続部１６ｃに接続されることにより、保持ベース３０が補強部１６及び押さえ部材２３を介してアース回路に接続される。
【０１０３】
このようにアース回路に接続された押さえ部材２３に表示ユニット２８の保持ベース３０を補強部１６によって接続することにより、補強部１６がキャビネット９の補強と保持ベース３０に関する導電経路として機能するため、部品点数の削減を図った上で表示ユニット２８の静電破壊を防止することができる。
【０１０４】
［表示装置の回路構成］
以下に、表示装置（デジタルスチルカメラ）１の回路構成の例を示す（図１５参照）。
【０１０５】
表示装置１は、撮像機能を担うカメラブロック４０と、撮影された画像信号のアナログ−デジタル変換等の信号処理を行うカメラ信号処理部４１と、画像信号の記録再生処理を行う画像処理部４２とを有している。また、表示装置１は、撮影された画像等を表示するディスプレイ（ディスプレイ３２）４３と、メモリーカード１００への画像信号の書込及び読出を行うＲ／Ｗ（リーダ／ライタ）４４と、表示装置１の全体を制御するＣＰＵ（Central Processing Unit）４５と、ユーザーによって所要の操作が行われる各種のスイッチ等から成る入力部４６（操作部４、４、・・・）と、カメラブロック４０に配置されたレンズの駆動を制御するレンズ駆動制御部４７とを備えている。
【０１０６】
カメラブロック４０は、レンズ群４８を含む光学系や、ＣＣＤ（Charge Coupled Device）やＣＭＯＳ（Complementary Metal-Oxide Semiconductor）等の撮像素子４９等とによって構成されている。
【０１０７】
カメラ信号処理部４１は、撮像素子４９からの出力信号に対するデジタル信号への変換、ノイズ除去、画質補正、輝度・色差信号への変換等の各種の信号処理を行う。
【０１０８】
画像処理部４２は、所定の画像データーフォーマットに基づく画像信号の圧縮符号化・伸張復号化処理や解像度等のデーター仕様の変換処理等を行う。
【０１０９】
ディスプレイ４３はユーザーの入力部４６に対する操作状態や撮影した画像等の各種のデーターを表示する機能を有している。
【０１１０】
Ｒ／Ｗ４４は、画像処理部４２によって符号化された画像データーのメモリーカード１００への書込及びメモリーカード１００に記録された画像データーの読出を行う。
【０１１１】
ＣＰＵ４５は、表示装置１に設けられた各回路ブロックを制御する制御処理部として機能し、入力部４６からの指示入力信号等に基づいて各回路ブロックを制御する。
【０１１２】
入力部４６はユーザーによる操作に応じた指示入力信号をＣＰＵ４５に対して出力する。
【０１１３】
レンズ駆動制御部４７は、ＣＰＵ４５からの制御信号に基づいてレンズ群４８の各レンズを駆動する図示しないモータ等を制御する。
【０１１４】
メモリーカード１００は、例えば、Ｒ／Ｗ４４に接続されたスロットに対して着脱可能な半導体メモリーである。
【０１１５】
以下に、表示装置１における動作を説明する。
【０１１６】
撮影の待機状態では、ＣＰＵ４５による制御の下で、カメラブロック４０において撮影された画像信号が、カメラ信号処理部４１を介してディスプレイ４３に出力され、カメラスルー画像として表示される。また、入力部４６からのズーミングのための指示入力信号が入力されると、ＣＰＵ４５がレンズ駆動制御部４７に制御信号を出力し、レンズ駆動制御部４７の制御に基づいてレンズ群４８の所定のレンズが移動される。
【０１１７】
入力部４６からの指示入力信号によりカメラブロック４０の図示しないシャッターが動作されると、撮影された画像信号がカメラ信号処理部４１から画像処理部４２に出力されて圧縮符号化処理され、所定のデーターフォーマットのデジタルデーターに変換される。変換されたデーターはＲ／Ｗ４４に出力され、メモリーカード１００に書き込まれる。
【０１１８】
尚、フォーカシングは、例えば、入力部４６のシャッター釦が半押しされた場合や記録（撮影）のために全押しされた場合等に、ＣＰＵ４５からの制御信号に基づいてレンズ駆動制御部４７がレンズ群４８の所定のレンズを移動させることにより行われる。
【０１１９】
メモリーカード１００に記録された画像データーを再生する場合には、入力部４６に対する操作に応じて、Ｒ／Ｗ４４によってメモリーカード１００から所定の画像データーが読み出され、画像処理部４２によって伸張復号化処理が行われた後に、再生画像信号がディスプレイ４３に出力されて再生画像が表示される。
【０１２０】
［まとめ］
以上に記載した通り、表示装置１にあっては、保持ベース３０の当接部３８、３８、・・・がそれぞれキャビネット９の受部１９、１９、・・・に当接した状態で保持ベース３０が押さえ部材２３によって押さえられて表示ユニット２８がキャビネット９に対して配置される。
【０１２１】
また、表示部２９の位置合わせ面３３ａとキャビネット９の位置決め面１７ａとが対向して位置されて表示部２９のキャビネット９に対する位置決めが行われる。
【０１２２】
従って、表示部２９のキャビネット９に対する良好な位置決め精度を確保することができ、また、表示部２９の外側（後方）に表示部２９を押さえる部分が存在しないため、その分、表示装置１の厚みが薄くなり、表示部２９のキャビネット９に対する良好な位置決め精度を確保した上で表示装置１の小型化（薄型化）を図ることができる。
【０１２３】
また、表示部２９の外周部を閉塞する部分が存在しないため、その分、表示部２９における画像の表示領域を大きくすることができ、表示装置１の外形も小さくすることができ、表示装置１の小型化を図ることができる。
【０１２４】
さらに、表示部２９がキャビネット９の内側に配置され、表示部２９がキャビネット９から後方へ突出されないため、表示装置１の一層の小型化を図ることができる。
【０１２５】
さらにまた、表示部２９にディスプレイ３２とディスプレイ３２を保護する保護ガラス３３とを設け、保護ガラス３３の位置合わせ面３３ａとキャビネット９の位置決め面１７ａとが対向して位置されるようにしている。
【０１２６】
従って、表示部２９のキャビネット９に対する位置決めが保護ガラス３３によって行われ、保護ガラス３３の材料であるガラス材料は加工精度が高く強度も高いため、表示部２９のキャビネット９に対する位置決めを高精度で行うことができる。
【０１２７】
また、接続基板３１の両側に保持ベース３０の当接部３８、３８を設けているため、接続基板３１に付与される外力によって保持ベース３０のキャビネット９に対する位置が変位し難く、キャビネット９による表示ユニット２８の安定した保持状態を確保することができる。
【０１２８】
さらに、表示装置１にあっては、押さえ部材２３が外筐２の内部において固定されるため、押さえ部材２３の外筐２に対する位置が変位することがなく、表示ユニット２８のキャビネット９に対する保持状態の安定性の向上を図ることができる。
【０１２９】
さらにまた、表示ユニット２８の保持ベース３０がクッション２７を介して押さえ部材２３によって押さえられるため、表示装置１を構成する各部の加工精度に基づく組付位置のズレがクッション２７によって吸収された状態で保持ベース３０が押さえ部材２３によって押さえられる。
【０１３０】
従って、表示装置１を構成する各部の加工精度によらずに、表示ユニット２８をキャビネット９によって安定した状態で保持することができる。
【０１３１】
加えて、保持ベース２３が金属材料によって形成されているため、保持ベース３０の強度が高く、押さえ部材２３によって押さえられたときに保持ベース３０が変形し難く、表示ユニット２８をキャビネット９によって一層安定した状態で保持することができる。
【０１３２】
尚、キャビネット９に対する表示部２９の位置決めを行うための保護ガラス３３は外形がキャビネット９の位置決め面１７ａの形状に対して僅かに小さく形成されているため、位置合わせ面３３ａと位置決め面１７ａとの間に僅かな隙間Ｐが生じる（図１０参照）。
【０１３３】
そこで、表示装置１にあっては、上記したように、当接部３８、３８、・・・の接触面３８ａ、３８ａ、・・・に黒色を付し、隙間Ｐの内側に位置する部分が黒色となるようにしている。従って、隙間Ｐに光が入射したときの当接部３８、３８、・・・における反射が抑制され、表示部２９に表示される画像の視認性の向上を図ることができる。
【０１３４】
また、隙間Ｐから内部構造が視認し難く、デザイン性の向上を図ることもできる。
【０１３５】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１３６】
【図１】図２乃至図１５と共に本発明表示装置を示すものであり、本図は、開閉パネルが閉塞された状態で示す表示装置の斜視図である。
【図２】開閉パネルが開放された状態で示す表示装置の斜視図である。
【図３】図１及び図２とは異なる方向から見た状態で示す表示装置の斜視図である。
【図４】表示装置の分解斜視図である。
【図５】表示装置を図４とは異なる方向から見た状態で示す分解斜視図である。
【図６】キャビネットの斜視図である。
【図７】キャビネットの補強部の斜視図である。
【図８】表示ユニットとキャビネットの分解斜視図である。
【図９】表示ユニットがキャビネットに配置された状態を示す斜視図である。
【図１０】表示ユニットがキャビネットに配置された状態を示す拡大断面図である。
【図１１】表示ユニットがキャビネットに配置された状態を示す拡大斜視図である。
【図１２】表示ユニットがキャビネットに配置された状態を図１１とは別の位置において示す拡大斜視図である。
【図１３】保持ベースが補強部の第１の接続部に接続されている状態を示す拡大断面図である。
【図１４】押さえ部材が補強部の第２の接続部に接続されている状態を示す拡大断面図である。
【図１５】表示装置のブロック図である。
【符号の説明】
【０１３７】
１…表示装置、２…外筐、９…キャビネット、１５…基体部、１６…補強部、１６ｂ…第１の接続部、１６ｃ…第２の接続部、１７ａ…位置決め面、１９…受部、２３…押さえ部材、２７…クッション、２８…表示ユニット、２９…表示部、３０…保持ベース、３１…接続基板、３２…ディスプレイ、３３…保護ガラス、３３ａ…位置合わせ面、３８…当接部
【図１】
2012141425.tif 000003
【図２】
2012141425.tif 000004
【図３】
2012141425.tif 000005
【図４】
2012141425.tif 000006
【図５】
2012141425.tif 000007
【図６】
2012141425.tif 000008
【図７】
2012141425.tif 000009
【図８】
2012141425.tif 000010
【図９】
2012141425.tif 000011
【図１０】
2012141425.tif 000012
【図１１】
2012141425.tif 000013
【図１２】
2012141425.tif 000014
【図１３】
2012141425.tif 000015
【図１４】
2012141425.tif 000016
【図１５】
2012141425.tif 000017